(57)【特許請求の範囲】
【請求項１】
天板（１）と、該天板（１）を支える左右一対の伸縮脚（２）と、該伸縮脚（２）を伸長させる方向へ付勢するガススプリング（３）と、左右の上記伸縮脚（２）の伸縮作動を同期させるための可撓性の同期用線条体（４）を備えた昇降テーブルにおいて、
上記同期用線条体（４）の一部に設けられた剛性を有する棒状部（６）と、該棒状部（６）が挿通される貫通部（７）を有すると共に該貫通部（７）の内面部（８）が圧接・離間するように揺動して該圧接によって上記棒状部（６）に摩擦制動力を付与する制動部材（９）と、該制動部材（９）が上記棒状部（６）に圧接する方向に弾発付勢するバネ（10）とを、備え、さらに、上記離間によって上記棒状部（６）をその長手方向に往復動可能とする左右一対の操作レバー（５）を有する制動力解除手段（Ａ）を、備えることを特徴とする昇降テーブル。
【請求項２】
上記制動力解除手段（Ａ）が、上記天板（１）の裏面（11）の左右端（12）近傍に配設された一対の上記操作レバー（５）と、該操作レバー（５）を上記バネ（10）の弾発付勢力（Ｆ）に抗して動かせる解除操作の動きを上記制動部材（９）に伝える連動連結機構（Ｂ）と、を備えている請求項１記載の昇降テーブル。
【請求項３】
上記制動部材（９）を一対の上記伸縮脚（２）の左右中間部に配設した請求項１又は２記載の昇降テーブル。
【請求項４】
上記連動連結機構（Ｂ）が、揺動自在な制動解除部材（13）と、該制動解除部材（13）の揺動中心（Ｑ）を挟むように一端（14）が取着されると共に他端（15）が上記操作レバー（５）に連結された２本の操作用線条体（16）と、を有し、上記一対の操作レバー（５）の少なくとも一方を作動させることにより上記制動解除部材（13）を揺動可能に構成した請求項２記載の昇降テーブル。
【請求項５】
上記連動連結機構（Ｂ）が、揺動自在な制動解除部材（13）と、該制動解除部材（13）にＳ字状又はＺ字状に巻き付けられるとともに両端（17）が各上記操作レバー（５）の各々に取着された１本の操作用線条体（16）と、を有し、上記一対の操作レバー（５）の少なくとも一方を作動させることにより上記制動解除部材（13）を揺動可能に構成した請求項２記載の昇降テーブル。
【請求項６】
上記制動解除部材（13）が上記制動部材（９）と一体化している請求項４又は５記載の昇降テーブル。
【発明の詳細な説明】
【技術分野】
【０００１】
本発明は、昇降テーブルに関する。
【背景技術】
【０００２】
従来、オーバーベッドテーブル等として使用されている昇降テーブルは、基台と、天板と、伸縮脚と、この伸縮脚内に収納されたロック機構付のガススプリングとを備え、天板の両側に取り付けられた操作レバーの一方を手動で操作することにより、ガススプリングのロック機構を解除して天板を昇降させていた（例えば、特許文献１）。また、天板に上方向の力を加えた場合に天板が上方向に自由に上昇するように構成したものが知られている（例えば、特許文献２）。さらに、ロック機構付きのガススプリングを用いず、天板下に機械式ロック機構を設けたものも知られている（例えば、特許文献３参照）。
【０００３】
しかし、ロック機構付きのガススプリングを用いたものは、左右それぞれの操作レバーからロック機構までの距離が異なるので、ロックを解除するために介在する機構が左右で異なり、左右の操作レバーの操作感触が異なってしまうという欠点があった。また、天板下に機械式ロック機構を設けたものは、天板の両側でなく天板の中央に操作レバーを備えているので、介護士などの介助者が昇降操作をするときに不便であった。
【先行技術文献】
【特許文献】
【０００４】
【特許文献１】特許3640309号公報
【特許文献２】特許2778683号公報
【特許文献３】実開昭57−45338号公報
【発明の概要】
【発明が解決しようとする課題】
【０００５】
解決しようとする課題は、左右の操作レバーの操作感触が異なる点である。また、介護士などの介助者が昇降操作をするときに不便な点である。
【課題を解決するための手段】
【０００６】
そこで、本発明に係る昇降テーブルは、天板と、該天板を支える左右一対の伸縮脚と、該伸縮脚を伸長させる方向へ付勢するガススプリングと、左右の上記伸縮脚の伸縮作動を同期させるための可撓性の同期用線条体を備えた昇降テーブルにおいて、上記同期用線条体の一部に設けられた剛性を有する棒状部と、該棒状部が挿通される貫通部を有すると共に該貫通部の内面部が圧接・離間するように揺動して該圧接によって上記棒状部に摩擦制動力を付与する制動部材と、該制動部材が上記棒状部に圧接する方向に弾発付勢するバネとを、備え、さらに、上記離間によって上記棒状部をその長手方向に往復動可能とする左右一対の操作レバーを有する制動力解除手段を、備えるものである。
【０００７】
また、上記制動力解除手段が、上記天板の裏面の左右端近傍に配設された一対の上記操作レバーと、該操作レバーを上記バネの弾発付勢力に抗して動かせる解除操作の動きを上記制動部材に伝える連動連結機構と、を備えているものである。
また、上記制動部材を一対の上記伸縮脚の左右中間部に配設したものである。
【０００８】
また、上記連動連結機構が、揺動自在な制動解除部材と、該制動解除部材の揺動中心を挟むように一端が取着されると共に他端が上記操作レバーに連結された２本の操作用線条体と、を有し、上記一対の操作レバーの少なくとも一方を作動させることにより上記制動解除部材を揺動可能に構成したものである。
また、上記連動連結機構が、揺動自在な制動解除部材と、該制動解除部材にＳ字状又はＺ字状に巻き付けられるとともに両端が各上記操作レバーの各々に取着された１本の操作用線条体と、を有し、上記一対の操作レバーの少なくとも一方を作動させることにより上記制動解除部材を揺動可能に構成したものである。
また、上記制動解除部材が上記制動部材と一体化しているものである。
【発明の効果】
【０００９】
本発明の昇降テーブルによれば、天板の左右どちら側から操作しても操作感触が変わらない。また、介護士などの介助者が昇降操作をするときに左右片側から容易に操作することができて至便である。さらに、構成する部品点数が少なく、組立時の調整箇所を少なくできるとともに、低コストに製造できる。
【図面の簡単な説明】
【００１０】
【図１】本発明の第１の実施の形態を示す斜視図である。
【図２】制動状態を示す要部拡大平面図である。
【図３】解除状態を示す要部拡大平面図である。
【図４】第２の実施の形態の制動状態を示す要部拡大平面図である。
【図５】第３の実施の形態の制動状態を示す要部拡大平面図である。
【図６】解除状態を示す要部拡大平面図である。
【図７】第４の実施の形態を示す斜視図である。
【図８】制動状態を示す要部拡大平面図である。
【図９】解除状態を示す要部拡大平面図である。
【図１０】第５の実施の形態の制動状態を示す要部拡大平面図である。
【発明を実施するための形態】
【００１１】
図１〜図３は、本発明の第１の実施の形態を示す。この昇降テーブルは、天板１と、天板１を支える左右一対の伸縮脚２と、伸縮脚２を伸長させる方向へ付勢する左右一方にひとつ設けられたガススプリング３と、左右の伸縮脚２の伸縮作動を同期させるための可撓性の同期用線条体４を備えた昇降テーブルであって、左右一対の操作レバー５（後述）を操作しない状態では、伸縮脚２（後述）が伸長不可とされ（制動状態）、左右一対の操作レバー５の少なくとも一方を操作することにより、伸縮脚２を伸長可能（解除状態）とすることができる。
【００１２】
具体的には、同期用線条体４の一部に設けられた剛性を有する棒状部６と、棒状部６が挿通される貫通部７を有すると共に貫通部７の内面部８が圧接・離間するように揺動して圧接によって棒状部６に摩擦制動力を付与する制動部材９と、制動部材９が棒状部６に圧接する方向に弾発付勢するバネ10とを、備える。さらに、離間によって棒状部６をその長手方向に往復動可能とする制動力解除手段Ａを、備える。制動部材９が一対の伸縮脚２の左右中間部に配設されている。
【００１３】
制動力解除手段Ａが、天板１の裏面11の左右端12近傍に配設された一対の操作レバー５と、操作レバー５をバネ10の弾発付勢力Ｆに抗して動かせる解除操作の動きを制動部材９に伝える連動連結機構Ｂと、を備えている。
【００１４】
連動連結機構Ｂが、揺動自在な制動解除部材13と、制動解除部材13の揺動中心Ｑを挟むように一端14が取着されると共に他端15が操作レバー５に連結された２本の操作用線条体16と、制動部材９と制動解除部材13を連結して一方の揺動を他方へ伝達する連結棒19と、を有し、一対の操作レバー５の少なくとも一方を作動させることにより制動解除部材13を揺動可能に構成されている。
【００１５】
次に、図２・図３を用いて、第１の実施の形態の解除操作（制動力解除手段Ａの作用）について説明する。図２は制動状態を示す。すなわち、バネ10の弾発付勢力Ｆにより制動部材９が棒状部６に圧接している。このとき、棒状部６は（左右方向に）移動することができず、従って、同期用線条体４も移動することができず、天板１を昇降させることができない。図３に示すように、左右操作レバー５の一方を操作すると、連動連結機構Ｂにより制動部材９が揺動して解除状態となる。具体的には、左側の操作レバー５を揺動中心Ｐを中心として時計回りに揺動させると、操作レバー５に取着された操作用線条体16が左方向へ引っ張られ、制動解除部材13が反時計回りに揺動し、連結棒19が右方向へ移動し、制動部材９が揺動中心Ｒを中心として反時計回りに揺動する。そして、棒状部６が貫通部７の内面部８と離間して同期用線条体４が貫通部７内を移動可能となる。すなわち、伸縮脚２（図１参照）が伸長可能となり、天板１を昇降させることができる。右側の操作レバー５を操作した場合も、同様に制動部材９による制動が解除されて解除状態となる。
【００１６】
図４は第２の実施の形態を示す。制動解除部材13が制動部材９と一体化している。具体的には、制動解除部材13が制動部材９に固着一体化されている。その他の構成は、第１の実施の形態と同様である。
【００１７】
図５・図６は第３の実施の形態を示す。制動解除部材13が制動部材９と一体化している。具体的には、制動解除部材13と制動部材９が同一部材とされている。言い換えると、制動解除部材13が、制動部材９を兼ねている。すなわち、本発明に於て、「一体化している」とは、第２の実施の形態のように別部材を固着した場合と、第３の実施の形態のように同一部材とした場合の両方を含むこととする。その他の構成は、第１の実施の形態と同様である。
【００１８】
図７〜図９は第４の実施の形態を示す。連動連結機構Ｂが、揺動自在な制動解除部材13と、制動解除部材13にＺ字状又はＳ字状に巻き付けられるとともに両端17が各操作レバー５の各々に取着された１本の操作用線条体16と、を有し、一対の操作レバー５の少なくとも一方を作動させることにより制動解除部材13を揺動可能に構成されている。制動解除部材13が制動部材９と固着により一体化している。18は操作レバー５の揺動を規制するストッパーを示す。その他の構成は、第１の実施の形態と同様である。
【００１９】
次に、図８・図９を用いて、第４の実施の形態の解除操作について説明する。図８は制動状態を示す。すなわち、バネ10の弾発付勢力Ｆにより制動部材９が棒状部６に圧接している。このとき、棒状部６は（左右方向に）移動することができず、従って、同期用線条体４も移動することができず、天板１を昇降させることができない。図９に示すように、左右操作レバー５の一方を操作すると、連動連結機構Ｂにより制動部材９が揺動して解除状態となる。具体的には、左側の操作レバー５を揺動中心Ｐを中心として時計回りに揺動させると、操作レバー５に取着された操作用線条体16が左方向へ引っ張られ、制動解除部材13及び制動部材が一体状に揺動中心Ｑ（揺動中心Ｒ）を中心として反時計回りに揺動する。そして、棒状部６が貫通部７の内面部８と離間して同期用線条体４が貫通部７内を移動可能となる。すなわち、伸縮脚２（図１参照）が伸長可能となり、天板１を昇降させることができる。右側の操作レバー５を操作した場合も、同様に制動部材９による制動が解除されて解除状態となる。
【００２０】
図10は第５の実施の形態を示す。制動部材９と制動解除部材13とが別部材であるとともに分離して配設されている。そして制動部材９と制動解除部材13が連結棒19にて連結されている。その他の構成は、第４の実施の形態と同様である。
【００２１】
なお、図８・図９のみに操作レバー５の揺動を制限するストッパー18を記載し、他の図に於ては、ストッパー18の記載を省略した。また、本発明に於て、「貫通部」とは、孔のみならず、切欠部や、所定間隔をもって配設されたふたつの部材によって形成される対面部等をも含むものとする。
【００２２】
本発明は、設計変更可能であって、例えば、同期用線条体４の棒状部６への取着手段、操作用線条体16の操作レバー５への取着手段、操作用線条体16の制動用解除部材13への取着手段等は、例えば、各線条体の締結を用いる手段や、それぞれに係止部と被係止部を設けて係止により取着する手段等とすることができる（図示省略）。
【００２３】
以上のように、本発明は、天板１と、天板１を支える左右一対の伸縮脚２と、伸縮脚２を伸長させる方向へ付勢するガススプリング３と、左右の伸縮脚２の伸縮作動を同期させるための可撓性の同期用線条体４を備えた昇降テーブルにおいて、同期用線条体４の一部に設けられた剛性を有する棒状部６と、棒状部６が挿通される貫通部７を有すると共に貫通部７の内面部８が圧接・離間するように揺動して圧接によって棒状部６に摩擦制動力を付与する制動部材９と、制動部材９が棒状部６に圧接する方向に弾発付勢するバネ10とを、備え、さらに、離間によって棒状部６をその長手方向に往復動可能とする制動力解除手段Ａを、備えるので、構成する部品点数が少なく、組立時の調整箇所を少なくできるとともに、低コストである。
【００２４】
また、制動力解除手段Ａが、天板１の裏面11の左右端12近傍に配設された一対の操作レバー５と、操作レバー５をバネ10の弾発付勢力Ｆに抗して動かせる解除操作の動きを制動部材９に伝える連動連結機構Ｂと、を備えているので、容易かつ確実に制動部材９を揺動させて解除操作を行なうことができる。
また、制動部材９を一対の伸縮脚２の左右中間部に配設したので、天板１の左右どちら側から操作レバー５を操作しても操作感触が変わらない。特に、左右どちらの操作レバー５を操作しても制動部材９が同一方向に揺動することで、操作感触を等しくすることができる。
【００２５】
また、連動連結機構Ｂが、揺動自在な制動解除部材13と、制動解除部材13の揺動中心Ｑを挟むように一端14が取着されると共に他端15が操作レバー５に連結された２本の操作用線条体16と、を有し、一対の操作レバー５の少なくとも一方を作動させることにより制動解除部材13を揺動可能に構成したので、介護士などの介助者が昇降操作をするときに左右片側から容易に操作することができて至便である。
また、連動連結機構Ｂが、揺動自在な制動解除部材13と、制動解除部材13にＳ字状又はＺ字状に巻き付けられるとともに両端17が各操作レバー５の各々に取着された１本の操作用線条体16と、を有し、一対の操作レバー５の少なくとも一方を作動させることにより制動解除部材13を揺動可能に構成したので、介護士などの介助者が昇降操作をするときに左右片側から容易に操作することができて至便である。また、各操作レバー５に操作用線条体16を連結したものでは各操作用線条体16の長さを調整する必要があるが、操作用線条体16が１本なので、操作用線条体16の長さを調整する必要がなく、部品点数が少なく、組立時の調整箇所が少ない低コストの昇降テーブルとすることができる。
また、制動解除部材13が制動部材９と一体化しているので、構成する部品点数を一層少なくすることができる。そして、組立時の調整箇所をより少なくできるとともに、一層低コストである。
【符号の説明】
【００２６】
１  天板
２  伸縮脚
３  ガススプリング
４  同期用線条体
５  操作レバー
６  棒状部
７  貫通部
８  内面部
９  制動部材
10  バネ
11  裏面
12  左右端
13  制動解除部材
14  一端
15  他端
16  操作用線条体
17  両端
Ａ  制動力解除手段
Ｂ  連動連結機構
Ｑ  揺動中心
Ｆ  弾発付勢力
【図１】
0005503384.tif 000002
【図２】
0005503384.tif 000003
【図３】
0005503384.tif 000004
【図４】
0005503384.tif 000005
【図５】
0005503384.tif 000006
【図６】
0005503384.tif 000007
【図７】
0005503384.tif 000008
【図８】
0005503384.tif 000009
【図９】
0005503384.tif 000010
【図１０】
0005503384.tif 000011